(57)【要約】【課題】入賞口に入った遊技球が再び入賞口の外に飛び出さないように、入賞口内の遊技球の勢いを抑えることができるパチンコ遊技機を提供する。【解決手段】パチンコ遊技機１において、遊技板６Ｆから前方に突出すると共に上面が開口する開口部１１６を有する第１大入賞口１１０と、開口部１１６を開閉する開閉部材１５０とを備えた第１大入賞口入賞装置１００を有している。そして、第１大入賞口１１０は、遊技板６Ｆから前方に突出して開口部１１６から入賞した遊技球Ｐを受ける底部１１１を有している。また、入賞した遊技球Ｐが底部１１１と衝突することで遊技球Ｐが跳ね返って開口部１１６から飛び出すことを抑制するように後壁１１３の内側から突出し、底部１１１から遊技球Ｐの半径より上方位置に配置された第１突出部材１１８及び第２突出部材１１９を備えている。【選択図】図５
2015033511.tif 000002
【特許請求の範囲】
【請求項１】
遊技板に入賞装置が配置されたパチンコ遊技機であって、
前記入賞装置は、
前記遊技板から前方に突出すると共に、上面が開口する開口部を有する入賞口と、
前記開口部を閉鎖する閉鎖位置と前記閉鎖位置から前記開口部を開放する開放位置との間を移動可能な開閉部材と、
を備え、
前記入賞口は、
前記遊技板から前方に突出し、前記開口部から入球した遊技球を受ける底部と、
前記開口部から入球した遊技球が前記底部と衝突することで遊技球が跳ね返って前記開口部から飛び出すことを抑制する抑制部材と、
を備えており、
該抑制部材は、前記入賞口の内側壁から突出する部材であり、前記底部から遊技球の半径より上方位置に配置されていることを特徴とするパチンコ遊技機。
【発明の詳細な説明】
【技術分野】
【０００１】
本発明は、パチンコ遊技機に関し、特に、遊技盤を構成する遊技板から前方に突出すると共に上面が開口する開口部を有する入賞口を開閉部材で開閉する入賞装置を備えるパチンコ遊技機に関するものである。
【背景技術】
【０００２】
従来、パチンコ遊技機の中には、遊技盤を構成する遊技板から前方に突出すると共に上面が開口する開口部を有する入賞口を開閉部材で開閉する入賞装置として、スライド式の大入賞口装置を備えたものがある（例えば、特許文献１参照。）。
【先行技術文献】
【特許文献】
【０００３】
【特許文献１】特開２０１２−２４９７０２号公報
【発明の概要】
【発明が解決しようとする課題】
【０００４】
しかしながら、前記したような従来のパチンコ遊技機では、スライド式の大入賞口装置等における入賞口に、上面の開口部から一旦入賞した遊技球が、入賞口における開口部から入球した遊技球を受ける底部に当たって跳ね返って入賞口の外に飛び出してしまい、折角入賞した遊技球が入賞球としてカウントされない、という不具合を生じることがあった。
【０００５】
本発明は、このような事情に鑑みてなされたものであり、入賞口に入った遊技球が再び入賞口の外に飛び出さないように、入賞口内の遊技球の勢いを抑えることができるパチンコ遊技機を提供することを目的とする。
【課題を解決するための手段】
【０００６】
かかる課題を解決するために、本発明の請求項１に記載の発明は、遊技板に入賞装置が配置されたパチンコ遊技機であって、前記入賞装置は、前記遊技板から前方に突出すると共に、上面が開口する開口部を有する入賞口と、前記開口部を閉鎖する閉鎖位置と前記閉鎖位置から前記開口部を開放する開放位置との間を移動可能な開閉部材と、を備え、前記入賞口は、前記遊技板から前方に突出し、前記開口部から入球した遊技球を受ける底部と、前記開口部から入球した遊技球が前記底部と衝突することで遊技球が跳ね返って前記開口部から飛び出すことを抑制する抑制部材と、を備えており、該抑制部材は、前記入賞口の内側壁から突出する部材であり、前記底部から遊技球の半径より上方位置に配置されているパチンコ遊技機としたことを特徴とする。
【０００７】
請求項１に係る発明によれば、入賞口の底部で遊技球が跳ね返り易い構造の入賞口において、所定位置に抑制部材を備えることで、入賞口内の遊技球の勢いを抑えることができ、その結果、入賞口に入った遊技球が跳ね返って再び入賞口の外に飛び出さないようにすることができる。
【図面の簡単な説明】
【０００８】
【図１】本発明の実施の形態におけるパチンコ遊技機の正面図である。
【図２】同パチンコ遊技機の遊技盤の正面図である。
【図３】同パチンコ遊技機の大入賞口装置の拡大正面図である。
【図４】図３のＡ−Ａ断面図である。
【図５】同パチンコ遊技機の大入賞口装置の表面部分を切り取った状態の拡大正面図である。
【図６】同パチンコ遊技機の大入賞口装置において第１大入賞口装置が閉状態の斜視図である。
【図７】同パチンコ遊技機の大入賞口装置において第１大入賞口装置が開状態の斜視図である。
【図８】同パチンコ遊技機の第１大入賞口装置の閉状態の簡略断面図である。
【図９】同パチンコ遊技機の第１大入賞口装置の開状態の簡略断面図である。
【図１０】第１大入賞口装置の第１変形例の簡略断面図である。
【図１１】第１大入賞口装置の第２変形例の簡略断面図である。
【発明を実施するための形態】
【０００９】
以下、本発明の実施の形態におけるパチンコ遊技機について図面を参照しながら説明する。なお、以下の説明では、パチンコ遊技機を遊技者から見て、手前側をパチンコ遊技機の前側（表面側）とし、奥側をパチンコ遊技機の後側（裏面側）として、前後方向を規定する。また、パチンコ遊技機を遊技者から見て、左手側をパチンコ遊技機の左側とし、右手側をパチンコ遊技機の右側として、左右方向を規定する。
【００１０】
まず、本実施の形態におけるパチンコ遊技機全体の概略構成について、図１及び図２を用いて説明する。図１は、本実施の形態におけるパチンコ遊技機の正面図であり、図２は、同パチンコ遊技機の遊技盤の正面図である。
【００１１】
本実施の形態におけるパチンコ遊技機１は、図１に示すように、外枠２、前枠３、窓枠４及び当該窓枠４に覆われた遊技盤６（図２）などを備えている。また、図示は省略するが、パチンコ遊技機１の裏面には、液晶ディスプレイ型の表示装置２０（図２）等の表示制御や可動演出装置（図示省略）及びＬＥＤなどの発光装置（図示省略）等による遊技演出の制御を行う表示演出サブ制御基板等のサブ制御基板、入賞時におけるパチンコ遊技機１の動作等を含むパチンコ遊技機１の主要な動作を制御する主制御基板、遊技球の払い出し動作を制御する払出基板、各基板等に電源を供給する電源基板等の各種基板が取り付けられている。
【００１２】
具体的に、外枠２は、図１に示すように、パチンコホールの台島に設置されており、前後面が開口するように四角形状に形成されている。前枠３は、外枠２の前端面に左側辺部の垂直な軸を中心に回動可能に装着されている。また、図１に示すように、この前枠３には、窓枠４と、下皿ユニット５と、遊技盤６と、が取り付けられている。
【００１３】
窓枠４は前枠３の前面に装着されている。この窓枠４は前枠３と一体となって、前記した軸を中心に回動可能となっている。窓枠４の中央には、図１に示すように、正面視で略円形状の窓枠開口部７が形成されている。この窓枠開口部７は、ガラス又はアクリル等の透明板８により被覆されている。また、窓枠開口部７の下方には、上皿ユニット９が配設されており、ここに、賞球や貸球を受けて貯留し、当該遊技球を発射装置（図示省略）に導く上皿１０が配置されている。また、窓枠開口部７の左右上方には、高音用のスピーカ１１がそれぞれ配設されている。また、窓枠４には複数の装飾ＬＥＤが配設されている。
【００１４】
下皿ユニット５は、図１に示すように、前枠３の下部であって窓枠４の下方に取り付けられている。この下皿ユニット５の中央部の左側には、上皿１０から溢れた遊技球が貯留される下皿１２が配設されている。また、下皿ユニット５の中央部の右側には、低音用のスピーカ１３が配設されている。また、下皿ユニット５の右部であって下皿１２の右方には、上皿１０に貯留された遊技球を後述する遊技領域６Ａに発射するための発射装置を遊技者が操作する操作ハンドル１４が配設されている。
【００１５】
遊技盤６は、図２に示すように、遊技球が転動する領域である遊技領域６Ａが形成される部材である。遊技盤６は、窓枠４の後方であって、正面視で前枠３の下部を除く略全面に渡って配置されている。なお、遊技盤６の遊技領域６Ａは、窓枠４の窓枠開口部７の後方に配置され、前方から透明板８を介して視認可能に構成されている。
【００１６】
この遊技盤６には、図２に示すように、板状の遊技板６Ｆの表面側に、外側ガイドレール６Ｂと内側ガイドレール６Ｃが固定されており、この外側ガイドレール６Ｂと内側ガイドレール６Ｃの間に、発射装置から発射された遊技球の発射通路６Ｄが区画形成されている。また、外側ガイドレール６Ｂ及び内側ガイドレール６Ｃで囲まれた内側領域に、遊技球が転動する遊技領域６Ａが区画形成されている。この遊技領域６Ａには、複数の遊技釘（図示省略）が打ち込まれており、発射通路６Ｄを通して遊技領域６Ａ内に放出された遊技球は、遊技釘に当りながら転動して遊技領域６Ａ内を流下し、最終的に後述する何れかの入賞口又は遊技領域６Ａの最下方に位置するアウト口６Ｅに入る転動遊技を行う。
【００１７】
遊技盤６における遊技領域６Ａのほぼ中央部には、図２に示すように、液晶ディスプレイ型の表示装置２０が設けられており、この表示装置２０を囲むように装飾枠２０Ｂが配設されている。また、表示装置２０は、大当り遊技状態を発生させるか否かの判定結果に基づき変動演出表示を行う広い面積の表示画面２０Ａを有している。
【００１８】
また、図２に示すように、遊技領域６Ａ内において、装飾枠２０Ｂの下方には第１始動入賞口１５が配置されている。この第１始動入賞口１５は、遊技球が入賞することによって、遊技者に有利な大当り遊技状態を発生させるか否かの判定を行う起点となるものであり、上方に開口するポケット状に形成されている。
【００１９】
また、図２に示すように、第１始動入賞口１５の下方には、第２始動入賞口１６が配置されている。この第２始動入賞口１６は、開閉可能な一対の可動片１６Ａを備えており、可動片１６Ａが閉じているときには第２始動入賞口１６には遊技球が入賞しないようになっており、所定条件に基づいて可動片１６Ａが開放されると第２始動入賞口１６に遊技球が入賞可能となるものである。なお、第２始動入賞口１６は、可動片１６Ａが閉じているときには遊技球が入賞可能だが入賞し難くなっており、可動片１６Ａが開放されると遊技球が入賞し易くなるようになっていても良い。
【００２０】
また、図２に示すように、第１始動入賞口１５及び第２始動入賞口１６の右方には、大入賞口装置１７が配置されている。この大入賞口装置１７には、入賞口としての第１大入賞口１１０を備えた入賞装置としての第１大入賞口装置１００と、第２大入賞口２０１を備えた第２大入賞口装置２００が配置されている。このうち、第２大入賞口装置２００は、図２及び図３に示すように、モータやソレノイド等の駆動装置（図示省略）により開閉する開閉片２０２を備えており、この開閉片２０２は、遊技状態が所定の大当り遊技状態になると可動し、その際には第２大入賞口２０１が上方に向かって開口し、遊技球が連続的に第２大入賞口２０１に入賞可能となる。なお、第１大入賞口装置１００については、後で詳細に説明する。
【００２１】
また、遊技領域６Ａ内の所定位置には、遊技球が入賞可能な一般入賞口１９が上方に開口するポケット状に形成されている（本実施の形態では、遊技領域６Ａの左下部に複数の一般入賞口１９が形成されている）。
【００２２】
そして、遊技者が操作ハンドル１４を操作して発射装置から遊技球を発射させ、発射通路６Ｄを通って遊技領域６Ａに放出された遊技球が転動しながら流下し、第１始動入賞口１５又は第２始動入賞口１６に入賞すると、主制御基板において所定の抽選を行う。その抽選の判定結果を、表示装置２０に複数の図柄を変動後に停止させた組合せで表示し、判定結果が大当り遊技状態を発生させるものであった場合には、その複数の図柄の組合せを特定の大当り組合せで表示する。その後、第１大入賞口１１０又は第２大入賞口２０１を上方に向かって開口させ、多数の遊技球が連続的に第１大入賞口１１０又は第２大入賞口２０１に入賞可能となる大当り遊技状態が発生するようになっている。
【００２３】
この大当り遊技状態の際には、遊技者が遊技球を遊技領域６Ａの右側に向かうように発射させる。すると、遊技球が発射通路６Ｄから遊技領域６Ａに放出された後、遊技領域６Ａの上側及び右側（装飾枠２０Ｂの上方及び右方）を通り、遊技領域６Ａの右側に位置する大入賞口装置１７に到達する。そして、遊技球が第１大入賞口１１０の右方から流下し、第１大入賞口１１０が開口しているときには、多数の遊技球が当該第１大入賞口１１０に入賞するようになっている。また、第１大入賞口１１０が閉じていて第２大入賞口２０１が開口しているときには、第１大入賞口１１０の右方から流下した遊技球は、第１大入賞口装置１００の閉状態の開閉部材１５０の上を通って、その左下方の第２大入賞口２０１に達し、当該第２大入賞口２０１に多数の遊技球が入賞するようになっている。
【００２４】
次に、本実施の形態における第１大入賞口装置１００について、図３〜図９を用いて説明する。図３，図４は、本実施の形態におけるパチンコ遊技機１の大入賞口装置１７の拡大正面図，Ａ−Ａ断面図である。図５は、本実施の形態におけるパチンコ遊技機１の大入賞口装置１７の表面部分を切り取った状態の拡大正面図である。図６は、本実施の形態におけるパチンコ遊技機１の大入賞口装置１７において第１大入賞口装置１００が閉状態の斜視図である。図７は、本実施の形態におけるパチンコ遊技機１の大入賞口装置１７において第１大入賞口装置１００が開状態の斜視図である。図８は、本実施の形態におけるパチンコ遊技機１の第１大入賞口装置１００の閉状態の簡略断面図である。図９は、本実施の形態におけるパチンコ遊技機１の第１大入賞口装置１００の開状態の簡略断面図である。
【００２５】
本実施の形態における第１大入賞口装置１００は、図４に示すように、大当り遊技状態の際に開状態となって遊技球Ｐ（図９に図示）が入賞可能となる第１大入賞口１１０、第１大入賞口１１０の開閉を行う開閉部材１５０、開閉部材１５０を開閉させる駆動源としてのソレノイド１０２、ソレノイド１０２と開閉部材１５０を連結してソレノイド１０２の駆動により開閉部材１５０をスライド移動させる連結部材１０３、第１大入賞口１１０に入賞した遊技球Ｐをカウントするセンサ（図示省略）等を備えて構成されている。
【００２６】
このうち、第１大入賞口１１０は、図３〜図９に示すように、遊技球Ｐが入賞（入球）する箇所であり、図２に示す遊技盤６における遊技板６Ｆの表面より前方に突出しており、底部１１１を有する箱形状のものであり、ここでは、底部１１１と前壁１１２、後壁１１３、右壁１１４、左壁１１５を有する略直方体形状に形成されている。また、図５に示すように、底部１１１の所定位置（ここでは、底部１１１が左方向に傾斜しており、その最下方となる左端）には、第１入賞口１１０に入賞した遊技球Ｐを遊技盤６の後方に導く入賞通路１１７が形成されている。この入賞通路１１７を遊技球Ｐが通過することで、その途中に配置されたセンサ（図示省略）で遊技球Ｐの入賞がカウントされるようになっている。また、第１入賞口１１０の上部には、第１入賞口１１０の左右方全体が上方に開口した開口部１１６が設けられており、この開口部１１６を開閉部材１５０で開閉可能になっている。
【００２７】
この開閉部材１５０は、図４，図６，図７に示すように、略長板状の部材で構成されており、第１入賞口１１０の開口部１１６付近の遊技板６Ｆ側に左右方向に長尺に形成されたスリット６Ｇに遊技盤６の後方側からスライド移動可能に挿入されている。また、開閉部材１５０は、図４に示すように、第１大入賞口１１０の裏側で連結部材１０３の一端部１０３Ａと係合しており、この連結部材１０３が他端部１０３Ｂでソレノイド１０２と係合している。このソレノイド１０２がオンオフすることによって可動すると、連結部材１０３の他端部１０３Ｂを遊技盤６の前後方向に移動させ、これに伴って連結部材１０３の一端部１０３Ａが前後方向に移動し、当該一端部１０３Ａに係合した開閉部材１５０も前後方向にスライド移動するようになっている。
【００２８】
そして、開閉部材１５０が、図６，図８に示すように、遊技板６Ｆ側から突出して前方位置にあるときには、第１大入賞口１１０は、開閉部材１５０で開口部１１６が覆われて（閉鎖されて）当該第１入賞口１１０内に遊技球Ｐが入賞不可能な閉状態（閉鎖位置）となり、第１入賞口１１０の上部に流下してきた遊技球Ｐは、開閉部材１５０の上を転がり、さらに下方に流下することとなる。また、開閉部材１５０が、図７，図９に示すように、遊技板６Ｆ側のスリット６Ｇから突出しない後方位置にあるときには、第１大入賞口１１０は、開閉部材１５０から開口部１１６が開放されて当該第１大入賞口１１０内に遊技球Ｐが入賞可能な開状態（開放位置）となり、第１大入賞口１１０内に連続的に遊技球Ｐが入賞することとなる。なお、開閉部材１５０には、スリット６Ｇの後方となる位置に、下方に突出したリブ１５１が形成されており、このリブ１５１が、開閉部材１５０が閉状態となったときに、開閉部材１５０が前方位置に出過ぎてしまわないようにストッパとして機能している。
【００２９】
また、第１大入賞口１１０の後壁１１３の内側（内側壁）には、図４，図５，図７〜図９に示すように、抑制部材として上側に配置された第１突出部材１１８と下側に配置された第２突出部材１１９が上下方向に略平行に並んで形成されている。この第１突出部材１１８及び第２突出部材１１９は、開口部１１６から第１大入賞口１１０内に入った遊技球Ｐが底部１１１と衝突することで跳ね返って再び開口部１１６から飛び出すことを抑制するものであり、後壁１１３の内側壁面から前方に所定量突出した形状となっている。ここでは、第１突出部材１１８及び第２突出部材１１９の突出した前方端部から前壁１１２までの距離が遊技球Ｐの直径（１１ｍｍ程度）よりもわずかに大きくなる程度（１２ｍｍ程度）に形成されている。また、この第１突出部材１１８及び第２突出部材１１９は、後壁の左右方向全体に連続して配置されており、さらに、特に下側に配置された第２突出部材１１９は、第１大入賞口１１０の底部１１１から遊技球Ｐの半径Ｐ１より上方位置に配置されている。
【００３０】
このように、壁部から突出した第１突出部材１１８及び第２突出部材１１９が左右方向全体に配置されていることにより、遊技球Ｐが第１大入賞口１１０の左右方向の何れの位置に入賞しても、底部１１１で跳ね返った遊技球Ｐが左右方向において第１突出部材１１８及び第２突出部材１１９に当たり易くして遊技球Ｐの勢いを抑えることができる。さらに、第１突出部材１１８及び第２突出部材１１９が底部１１１から遊技球Ｐの半径Ｐ１より上方位置に配置されていることにより、底部１１１で跳ね返った遊技球Ｐが上下方向において第１突出部材１１８及び第２突出部材１１９に当たり易くして遊技球Ｐの勢いを抑えることができるものである。逆に、第１突出部材１１８及び第２突出部材１１９が底部１１１から遊技球Ｐの半径Ｐ１以下の位置に配置されていると、遊技球Ｐが底部１１１を入賞通路１１７に向けて転がっているときには誘導部材として当接するが、遊技球Ｐが底部１１１から跳ねたときには当接しない位置となってしまい、跳ねた遊技球Ｐの勢いを抑えることができない。
【００３１】
また、開口部１１６から第１大入賞口１１０に入賞した遊技球Ｐが、第１大入賞口１１０内を流下する際に、壁部から突出した第１突出部材１１８及び第２突出部材１１９に当たることで、その勢いを弱くすることができ、底部１１１に到達する前にも遊技球Ｐの勢いを抑えて、遊技球Ｐが跳ね返り難くすることができる。
【００３２】
また、本実施の形態では、図９に示すように、特に上側に配置された第１突出部材１１８が、第１大入賞口１１０の上面に開口した開口部１１６から遊技球Ｐの半径Ｐ１より下方位置に配置されている。このように、第１突出部材１１８及び第２突出部材１１９が開口部１１６から遊技球Ｐの半径Ｐ１より下方位置に配置されていることにより、第１大入賞口１１０内に入ってきたばかりの遊技球Ｐ（底部１１１に当たる前の遊技球Ｐ）が第１突出部材１１８及び第２突出部材１１９に当たったとしても、直接、開口部１１６から飛び出してしまわず、前壁１１２等に当たるようにして勢いを抑えることができ、一旦入賞した遊技球Ｐが開口部１１６から飛び出してしまうことを防止できるものである。
【００３３】
また、図９に示すように、本実施の形態における上側に配置された第１突出部材１１８は、その上面が下方に向かう傾斜面１１８Ａとなっている。このように傾斜面１１８Ａとなっていることにより、遊技球Ｐが勢い良く第１突出部材１１８に当たっても傾斜面１１８Ａに当たるようにすることができ、角部に当たる場合と異なり、第１突出部材１１８の損傷を防止することができる。また、傾斜面１１８Ａにより、開口部１１６から入ってきた遊技球Ｐを前壁１１２側に跳ね易くし、このように後壁１１３から前壁１１２に遊技球Ｐを誘導する（すなわち、遊技球Ｐを直接底部１１１に当てさせず、底部１１１までジグザグに誘導する）ことにより、遊技球Ｐが底部１１１に到達する前にその勢いをより抑えることができる、という利点もある。
【００３４】
以上のように、本実施の形態のパチンコ遊技機１は、遊技板６Ｆに第１大入賞口装置（入賞装置）１００が配置されたパチンコ遊技機１であって、前記第１大入賞口装置（入賞装置）１００は、前記遊技板６Ｆから前方に突出すると共に、上面が開口する開口部１１６を有する第１大入賞口（入賞口）１１０と、前記開口部１１６を閉鎖する閉鎖位置と前記閉鎖位置から前記開口部１１６を開放する開放位置との間を移動可能な開閉部材１５０と、を備え、前記第１大入賞口（入賞口）１１０は、前記遊技板６Ｆから前方に突出し、前記開口部１１６から入賞（入球）した遊技球Ｐを受ける底部１１１と、前記開口部１１６から入賞（入球）した遊技球Ｐが前記底部１１１と衝突することで遊技球Ｐが跳ね返って前記開口部１１６から飛び出すことを抑制する第１突出部材（抑制部材）１１８及び第２突出部材（抑制部材）１１９と、を備えており、該第１突出突出部材（抑制部材）１１８及び第２突出部材（抑制部材）１１９は、前記第１大入賞口（入賞口）１１０の後壁１１３の内側（内側壁）から突出する部材であり、前記底部１１１から遊技球Ｐの半径Ｐ１より上方位置に配置されているパチンコ遊技機１としたことを特徴とする。
【００３５】
そして、本実施の形態によれば、第１大入賞口（入賞口）１１０の底部１１１で遊技球Ｐが跳ね返り易い構造の第１大入賞口（入賞口）１１０において、所定位置に第１突出部材（抑制部材）１１８及び第２突出部材（抑制部材）１１９を備えることで、第１大入賞口（入賞口）１１０内の遊技球Ｐの勢いを抑えることができ、その結果、第１大入賞口（入賞口）１１０に入った遊技球Ｐが跳ね返って再び第１大入賞口（入賞口）１１０の外に飛び出さないようにすることができる。
【００３６】
なお、以上説明した実施の形態は、本発明の理解を容易にするために記載されたものであって、本発明を限定するために記載されたものではない。
【００３７】
例えば、次に説明するような第１変形例や第２変形例であっても良い。
【００３８】
まず、本実施の形態の第１変形例について、図１０を用いて説明する。図１０は、前記した第１大入賞口装置１００の第１変形例の簡略断面図である。なお、以下の説明以外の箇所については、前記した実施の形態と同様であるため、説明を省略する。
【００３９】
この第１変形例の第１大入賞口装置３００は、図１０に示すように、第１大入賞口３１０の底部３１１が入賞通路（図示省略）のある左方向だけでなく第１突出部材３１８及び第２突出部材３１９が配置された後壁３１３側である後方が下がるように傾斜するように形成されている。これにより、開口部３１６から第１大入賞口３１０内に入った遊技球Ｐが、底部３１１で跳ね返った後、真上でなく第１突出部材３１８及び第２突出部材３１９が設けられた後壁３１３側に向かい易くなる。そして、その後、遊技球Ｐが第１突出部材３１８や第２突出部材３１９に当たることで、跳ね返った遊技球Ｐの勢いを抑えることができるため、前記した実施の形態の構成よりも、入賞した遊技球Ｐがさらに飛び出し難い構成となっている。なお、図１０中のスリット６Ｇ、前壁３１２、傾斜面３１８Ａ、開閉部材３５０、リブ３５１等については、前記した実施の形態と同様であるので、説明を省略する。
【００４０】
次に、第２変形例について、図１１を用いて説明する。図１１は、前記した第１大入賞口装置１００の第２変形例の簡略断面図である。なお、以下の説明以外の箇所については、前記した実施の形態と同様であるため、説明を省略する。
【００４１】
この第２変形例の第１大入賞口装置４００は、前記した実施の形態の第１突出部材１１８及び第２突出部材１１９が配置されておらず、第１大入賞口４１０の底部４１１が入賞通路（図示省略）のある左方向だけでなく後壁４１３側である後方が下がるように傾斜するように形成されている。これにより、開口部４１６から第１大入賞口４１０内に入った遊技球Ｐが、底部４１１で跳ね返った後、真上でなく後壁４１３側に向かい易くなる。そして、その後、遊技球Ｐが後壁４１３に当たることで、跳ね返った遊技球Ｐの勢いを抑えることができるため、前記した実施の形態のような第１突出部材１１８や第２突出部材１１９がなくても、入賞した遊技球Ｐが飛び出し難い構成となっている。
【００４２】
なお、底部４１１が後壁４１３側でなく、前壁４１２側である前方に傾斜するように形成されていて、底部４１１で跳ね返った遊技球Ｐが前壁４１２側に向かい易くなっていても良い。すなわち、底部４１１で跳ね返った遊技球Ｐが、いずれかの壁面に向かい易くなるように底部４１１が形成されていれば良い。また、図１１中のスリット６Ｇ、開閉部材４５０、リブ４５１等については、前記した実施の形態と同様であるので、説明を省略する。
【００４３】
また、前記した実施の形態では、抑制部材として第１突出部材と第２突出部材が後壁に形成されていたが、本発明はこれに限るものではない。例えば、２つの抑制部材が前壁に形成されていても良く、また、抑制部材が前壁と後壁に１つずつ形成されていても良い。また、その際、２つの抑制部材が上下方向にずれた状態で前壁と後壁に形成されていると、遊技球が開口部から底部に向かうときに一方の壁に形成された上側の抑制部材に当たった後に、他方の壁に形成された下側の抑制部材に当たる可能性が高くなり、より底部に向かう遊技球の勢いを抑えることができる。また、遊技球が底部から跳ね返ったときにも、他方の壁に形成された下側の抑制部材に当たった後に、まだ勢いが抑えられないときに一方の壁に形成された上側の抑制部材に当たる可能性が高くなり、より底部から跳ね返った遊技球の勢いを抑えることができる。
【００４４】
また、抑制部材は、前壁や後壁だけでなく、入賞口の大きさや形状等に応じて、右壁や左壁などの側方壁に形成されていても良い。
【００４５】
また、抑制部材は２つに限るものではなく、１つや３つ以上設けられていても良い。そのときには、全てが後壁に形成される場合の他、全てが前壁に形成される場合や、前壁と後壁にそれぞれ形成される場合があっても良い。さらに、複数の抑制部材のうちの１つから全てが、側方壁に形成される場合があっても良い。
【００４６】
また、前記した実施の形態では、長尺の抑制部材である第１突出部材と第２突出部材が第１大入賞口の左右方向全体に連続して配置されていたが、これに限るものではなく、例えば、短尺の抑制部材や突起状の抑制部材が所定の間隙を設けながら左右方向全体に配置されていても良い。このときには、短尺や突起状の抑制部材同士の間隙を遊技球の直径より短く設定する等、底部から跳ね返った遊技球が抑制部材に当たらずに抑制部材同士の間隙から抜けてしまう部分がないように、抑制部材同士を配置する必要がある。
【００４７】
また、抑制部材は直線形状の部材に限るものではなく、曲線状の長尺の抑制部材や、上下方向にジグザグに配置された短尺の抑制部材等、遊技球が当たるように構成されたものであれば、適宜の形状であっても良い。
【００４８】
また、前記した実施の形態では、抑制部材が壁と一体に形成されて壁から突出したものであったが、これに限るものではなく、壁と別部材で構成されていて壁から突出した状態に形成されたものでも良い。さらに、前記した実施の形態では、抑制部材は硬質の部材で構成されたいたが、これに限るものではなく、発射通路と遊技領域の間に設置される球戻り防止片のような軟質の部材で構成されていても良い。このとき、軟質の抑制部材は、下方に曲げられて反対側の壁に当接している等により、開口部から底部に向けて（すなわち上方から下方に向けて）流下する遊技球は簡単に通過可能（通過容易）で、底部から開口部に向けて（すなわち、下方から上方に向けて）跳ね返った遊技球は通過不可能（通過困難）となるように構成されていると良い。
【００４９】
また、前記した実施の形態では、第１大入賞口の底部とその上面の開口部及びこれを開閉する開閉部材が略平行となるように形成されており、上下に設けられた２つの抑制部材もこれらに合わせて略平行に形成されていたが、これに限るものではなく、第１大入賞口の底部とその上面の開口部とこれを開閉する開閉部材の傾きがずれていても良く、さらに上下に設けられた２つの抑制部材も平行に設けられていなくても良い。
【００５０】
また、このように第１大入賞口の底部と開口部が平行でない場合には、上側の抑制部材は開口部の傾きと略平行になるように配置し、下側の抑制部材は底部と略平行になるように配置することが好ましい。これにより、下側の抑制部材は遊技球が底部のどこから跳ね返っても同様に遊技球に当てることができ、上側の抑制部材は遊技球が開口部のどこから入ってきても同様に遊技球に当てることができることになる。
【００５１】
また、前記した実施の形態では、本発明の抑制部材が前後方向に開閉部材がスライドする大入賞口に適用されたが、これに限るものではなく、例えば左右方向に開閉部材がスライドする大入賞口に適用しても良い。また、スライド式の大入賞口以外の大入賞口、例えば、２つの開閉部材が上方の外側に所謂観音開き状に開く構造の箱形状の大入賞口等に適用しても良い。さらに、大入賞口以外の入賞口、例えば、可動片を備えた始動入賞口等に本発明を適用しても良い。すなわち、底部を有し、上方が開口していて当該開口が開閉部材で開閉される入賞口で、底部で遊技球が跳ね返って一旦入賞した遊技球が再び飛び出してしまう虞のある入賞口であれば、適宜の入賞口に適用可能である。
【符号の説明】
【００５２】
１…パチンコ遊技機、６Ｆ…遊技板、１００，３００，４００…第１大入賞口装置（入賞装置）、１１０，３１０，４１０…第１大入賞口（入賞口）、１１１，３１１，４１１…底部、１１６，３１６，４１６…開口部、１１８，３１８…第１突出部材（抑制部材）、１１９，３１９…第２突出部材（抑制部材）、１５０，３５０，４５０…開閉部材、Ｐ…遊技球
【図１】
2015033511.tif 000003
【図２】
2015033511.tif 000004
【図３】
2015033511.tif 000005
【図４】
2015033511.tif 000006
【図５】
2015033511.tif 000007
【図６】
2015033511.tif 000008
【図７】
2015033511.tif 000009
【図８】
2015033511.tif 000010
【図９】
2015033511.tif 000011
【図１０】
2015033511.tif 000012
【図１１】
2015033511.tif 000013